(57)【特許請求の範囲】
【請求項１】
反射鏡と、該反射鏡に光を照射するＬＥＤと、該ＬＥＤの先端に位置し、ＬＥＤから照射された光を投光させてドット像を形成する投光レチクルを有する照明部と、下部に形成された固定グリルとを備えるドットサイト装置であって、
前記固定グリルによって重機関銃用マウントに着脱され、複視の発生を防ぐために前記反射鏡の幅Ｘと使用者の両眼との間の距離Ｙは、Ｘ＞Ｙの関係を満足し、
前記ドットサイト装置が、前記照明部に連接するレチクル選択部をさらに備え、
前記投光レチクルが、前記レチクル選択部から延長され、前記照明部を貫通するレチクル回転軸上に形成されて前記レチクル選択部を回転させることにより、前記レチクル回転軸を中心として回転可能であり、前記レチクル回転軸を中心として複数の距離別投光レチクルが形成されており、
該複数の距離別投光レチクルが、対応する弾着点までの距離が遠いほど、前記レチクル回転軸に近く形成されており、
目標物との距離によって、前記レチクル選択部を回転させて対応する距離別投光レチクルを選択することを特徴とするドットサイト装置。
【請求項２】
反射鏡と、該反射鏡に光を照射するＬＥＤと、該ＬＥＤの先端に位置し、ＬＥＤから照射された光を投光させてドット像を形成する投光レチクルを有する照明部と、下部に形成された固定グリルとを備えるドットサイト装置であって、
前記固定グリルによって重機関銃用マウントに着脱され、複視の発生を防ぐために前記反射鏡の幅Ｘと使用者の両眼との間の距離Ｙは、Ｘ＞Ｙの関係を満足し、
前記ドットサイト装置が、前記照明部に連接するレチクル選択部をさらに備え、
前記投光レチクルが、レチクル選択部から延長され、前記照明部を貫通するレチクル回転軸上に形成されて前記レチクル選択部を回転させることにより、前記レチクル回転軸を中心として回転可能であり、前記レチクル回転軸から所定距離離れた位置に複数の対象別投光レチクルが前記レチクル回転軸を中心として形成されており、
目標物によって前記レチクル選択部を回転させて、前記目標物に対応する投光レチクルを選択し、
前記レチクル回転軸が、レチクル回転連結軸の周りに、弾着点との距離に対応する複数の凹凸が形成された凹凸部を有する照明部側回転軸と、一端に前記凹凸部のうち所望の凹凸と連接する凸部を有し、他端に前記投光レチクルが連結されたレチクル選択部側回転軸とを備え、
前記レチクル選択部を引張って前記照明部側回転軸とレチクル選択部側回転軸とを分離した後、前記レチクル選択部を回転させて、前記照明部側回転軸の凹凸部のうち所望の弾着点との距離に対応する凹凸に前記レチクル選択部側回転軸の凸部が連接するように選択することを特徴とするドットサイト装置。
【請求項３】
反射鏡と、該反射鏡に光を照射するＬＥＤと、該ＬＥＤの先端に位置し、ＬＥＤから照射された光を投光させてドット像を形成する投光レチクルを有する照明部と、下部に形成された固定グリルとを備えるドットサイト装置であって、
前記固定グリルによって重機関銃用マウントに着脱され、複視の発生を防ぐために前記反射鏡の幅Ｘと使用者の両眼との間の距離Ｙは、Ｘ＞Ｙの関係を満足し、
前記ドットサイト装置が、前記照明部に連接するレチクル選択部をさらに備え、
前記投光レチクルが、前記レチクル選択部から延長され、前記照明部を貫通するレチクル回転軸上に形成されて前記レチクル選択部を回転させることにより、前記レチクル回転軸を中心として回転可能であり、前記レチクル回転軸を中心として複数の距離別投光レチクルが形成されており、
該複数の距離別投光レチクルが、対応する弾着点までの距離が遠いほど、前記レチクル回転軸に近く形成されており、
目標物との距離によって、前記レチクル選択部を回転させて対応する距離別投光レチクルを選択し、
前記レチクル回転軸が、レチクル回転連結軸の周りに、弾着点との距離に対応する複数の凹凸が形成された凹凸部を有する照明部側回転軸と、一端に前記凹凸部のうち所望の凹凸と連接する凸部を有し、他端に前記投光レチクルが連結されたレチクル選択部側回転軸とを備え、
前記レチクル選択部を引張って前記照明部側回転軸とレチクル選択部側回転軸とを分離した後、前記レチクル選択部を回転させて、前記照明部側回転軸の凹凸部のうち所望の弾着点との距離に対応する凹凸に前記レチクル選択部側回転軸の凸部が連接するように選択することを特徴とするドットサイト装置。
【請求項４】
反射鏡と、該反射鏡に光を照射するＬＥＤと、該ＬＥＤの先端に位置し、ＬＥＤから照射された光を投光させてドット像を形成する投光レチクルを有する照明部と、下部に形成された固定グリルとを備えるドットサイト装置であって、
前記固定グリルによって重機関銃用マウントに着脱され、複視の発生を防ぐために前記反射鏡の幅Ｘと使用者の両眼との間の距離Ｙは、Ｘ＞Ｙの関係を満足し、
前記ドットサイト装置が、上板と下板とで構成され、
前記上板が、
保護窓と、反射鏡と、照明部とを備え、
前記下板が、
下部に形成された固定グリルと、
側面に設けられる弾道調整摘みと、
前記上板と下板とを連結して零点を設定する上下クリック調節ボルトと、
前記下板に形成された弾道調整本体収容部に収容されて、側面から貫通する上下板連結回転軸に前記上下クリック調節ボルトの下板側端部が上側から固定されることにより、前記上板と連結される弾道調整本体と、
該弾道調整本体の一端の弾道調整軸接触部上に位置する弾道調整部を備え、前記下板を貫通して前記弾道調整摘みに連結される弾道調整軸と、
前記弾道調整本体の他端と前記下板とを側面から貫通して連結する弾道調整本体と下板との連結軸と、
前記連結軸を基準として前記弾道調整軸接触部側の下板上面に形成されたバネ部と、
を備え、
前記バネ部が、バネを収容して前記上板と下板とが互いに押し出すようにし、
前記弾道調整本体が、前記上下板連結回転軸を中心として回転可能であり、
前記弾道調整軸が、前記弾道調整本体の弾道調整軸接触部の上面に接触し、弾着点までの距離に対応して、弾道調整軸の中心からの法線距離が相違した複数の接触面を有する弾道調整部を備え、
前記弾道調整部が、前記弾道調整摘みを回転させることにより、所望の弾着点までの距離に対応する接触面が弾道調整軸接触部と接触されるようにすることを特徴とするドットサイト装置。
【発明の詳細な説明】
【技術分野】
【０００１】
本発明は、重機関銃に装着されて使用される照準装置に関し、より詳細には、両眼視が可能な大口径ドットサイト装置に関する。
【背景技術】
【０００２】
小銃または重機関銃の特性は、迅速に照準射撃ができるかと、正確に標的を照準できるかによって左右される。一般に、小銃または重機関銃の照準は、照尺と照星の照準線整列によってなされる。銃身の終端に位置する照星と銃器本体の上部に位置する照尺との照準線整列による照準は、その銃器を使用する使用者の実力によって正確な射撃が可能なようにする。
【０００３】
しかし、照尺と照星だけで照準する場合、小さい振動や震えにも照準線整列が難しくなり、近距離射撃や緊迫な状況で迅速に照準することが難しい。
【０００４】
すなわち、このような照準射撃の方法では、目標捕捉および確認、照準線整列、照準などの複雑な過程と時間が求められ、照星と照尺自体が非常に小さくて、これを正確に整列するにおいて、小さい震えにも敏感に反応するだけでなく、過度に照準線整列に集中すると、標的や前方の状況よりは、照星と照尺自体に視線が集中され、射撃または緊急状況の対処に必要な視野が狭まる困難があった。
【０００５】
したがって、このような照準線整列の困難に対処し、照準の正確性を高めるために、望遠レンズを装着した照準装置が提案された。しかし、望遠レンズを装着した光学式照準器の場合にも、望遠レンズを使用することによって倍率が上がると、同様に小さい震えにも敏感な反応をみせるため、迅速な照準には、依然として多くの困難があった。
【０００６】
結局、このような問題を解決するために、光学式照準器に無倍率または低倍率レンズを使用し、複雑な照準線をなくし、簡単に照準点のみを用いるドットサイト装置が提案された。
【０００７】
光学式無倍率（低倍率）ドットサイト照準装置は、簡単かつ迅速に照準が可能であり、緊急な状況や近距離において極めて有用である。具体的には、従来の照準線整列にかかっていた時間を節約することができ、照準自体もドット（ｄｏｔ）像を標的に位置させることで十分であり、したがって、視野を確保する余裕も有することができる。つまり、迅速かつ正確に照準することができ、情況判断に必要な周辺への視野も確保することができる。
【０００８】
しかし、従来のドットサイト照準装置の場合、照準鏡を片目のみで凝視しなければならない単眼視照準装置であったため、照準に長い時間がかかるだけでなく、視覚的な問題も内包している。
【０００９】
具体的には、図１のように、従来のドットサイト装置１では、固定グリル１１によって、小銃の鏡筒整列用端子３にドットサイト照準装置１の内部を整列した後、ＬＥＤ光源５から出た光を反射鏡７で反射させて、単眼で物体を確認した。一般に、反射鏡７の前面（照準装置の内方）は、ＬＥＤから照射された光を反射できるようにコーティングされており、その前後面の曲面は、球面であって、同じ曲率を有する。
【００１０】
保護窓９を介して無倍率で凝視することになる目標点に、反射鏡７を介して反射されたドット像が照準されることで、使用者は、ＬＥＤからのドット像が目標物と一致するときに射撃することにより、照準を容易にすることができる。
【００１１】
さらに具体的に説明すると、ドットサイト装置１の内部に位置したＬＥＤ光源５から照射された光は、反射鏡７に反射されて観測者の目に平行に入射される。この平行度は、銃身の弾丸発射軸と一致しなければならない。ドットサイト装置１の平行度と銃身の弾丸発射軸とが一致しなければ、使用者がＬＥＤ光源５から照射された光のドットを射撃目標点に一致させても目標物に命中させることができないため、ドットサイト装置１の平行度を銃身の弾丸発射軸と一致させるために、垂直および水平調整機能を有する鏡筒整列用端子３を操作して、内部鏡筒の光軸を銃身の弾丸発射軸と一致させる。
【００１２】
しかし、この場合には、図２に示すように、反射鏡の幅が使用者の瞳孔間の距離より大きくなければ、両眼の重ね合わせによって、確保可能な両眼視野が存在しなくなり、このような状態で外部物体を反射鏡を介してみると、両眼視による外部物体の情報獲得が不可能となる。したがって、両眼のうち、優勢な目によって外部物体を注視するようになるか、複視として物体を眺めるようになるが、この場合には、安定疲労が誘発されて、外部物体の情報を正確に読み出すことができなくなる。
【００１３】
また、これを解決するために、単に照準鏡、すなわち、保護鏡と反射鏡との大きさのみを大きくすれば、図２に示すように、反射鏡周辺部の収差増加による反射鏡自体の視差（ｐａｒａｌｌａｘ）が発生し、ドットサイト装置の平行度と銃身の弾丸発射軸とが一致しなくなる問題が生じる。視差の発生は、当然目標物に対する命中度を低下させる。図２は、一般的な球面（ｓｐｈｅｒｉｃａｌ  ｓｕｒｆａｃｅ）反射面での反射光が互いに並んでいない視差を示している。
【００１４】
さらに、従来のドットサイト装置によれば、図１に示すように、目標物までの距離に関係なく、同一な光軸に沿ってＬＥＤから照射された光が反射鏡で反射されて目標物にドット像が結ばれる。しかし、弾丸が発射されると、目標物に命中するまで重力が作用し続けるため、目標物が遠くにあるほど、弾道が変わることになる。従来のドットサイト装置によれば、このような距離による弾道変化を反映するために、ドットサイト装置本体の光軸と銃身の発射軸との平行度を機構的に調整して使用したため、目標物までの距離がいきなり変わる場合には、迅速に対応できないという問題があった。
【００１５】
さらにまた、ＬＥＤ光源部から照射されて出た光は、１つのレチクルを使用するため、全ての目的物に対して常に同一なドットが形成される。しかし、重機関銃の目標物は、近距離・対人用射撃と対戦車射撃、および対航空機射撃の場合に、全て各々の特徴があり、例えば、航空機に対する射撃をする場合は、航空機の移動速度までも勘案して照準し射撃しなければならない。したがって、従来のドットサイト装置によれば、射撃対象の特性を勘案した正確な照準射撃が困難であるという問題があった。
【発明の概要】
【発明が解決しようとする課題】
【００１６】
本発明は、上記のような従来技術の問題を解決するために提案されたものであって、その目的は、両眼視が可能な大口径のドットサイト照準装置を提供することにある。
【００１７】
また、本発明の目的は、反射鏡を介した視差の発生を防止できる大口径ドットサイト照準装置を提供することにある。
【００１８】
また、本発明の目的は、目標物までの距離によって弾道の変化を迅速に反映して照準できるドットサイト照準装置を提供することにある。
【００１９】
さらに、本発明の目的は、目標物によって、その特性に合うレチクルを使用したドット像を用いて、迅速に照準することができるドットサイト照準装置を提供することにある。
【００２０】
一方、本発明の技術的目的は、これに限定されるものではなく、本発明の技術分野における通常の知識を有した者であれば、本発明の権利範囲内で様々な目的として本発明を利用することができる。
【課題を解決するための手段】
【００２１】
そこで、上記の目的を達成するための本発明は、前方に形成された保護窓と、保護窓の後ろに形成された反射鏡と、反射鏡に光を照射するＬＥＤと、前記ＬＥＤの先端に位置し、ＬＥＤから照射された光を投光させてドット像を形成する投光レチクルを有する照明部と、下部に形成された固定グリルとを備えるドットサイト装置であって、固定グリルによって重機関銃用マウントに着脱され、反射鏡の幅Ｘと使用者の両眼との間の距離Ｙは、Ｘ＞Ｙの関係を満足する。
【００２２】
また、本発明は、照明部に連接するレチクル選択部をさらに備え、投光レチクルは、レチクル選択部から延長され、照明部を貫通するレチクル回転軸上に形成されてレチクル選択部を回転させることにより、レチクル回転軸を中心として回転可能であり、レチクル回転軸から所定距離離れた位置に複数の対象別投光レチクルがレチクル回転軸を中心として形成されており、目標物によってレチクル選択部を回転させて、前記目標物に対応する投光レチクルを選択することもできる。
【００２３】
また、本発明は、照明部に連接するレチクル選択部をさらに備え、投光レチクルは、レチクル選択部から延長され、照明部を貫通するレチクル回転軸上に形成されてレチクル選択部を回転させることにより、レチクル回転軸を中心として回転可能であり、レチクル回転軸を中心として複数の距離別投光レチクルが形成されており、複数の距離別投光レチクルは、対応する弾着点までの距離が遠いほど、回転軸に近く形成されており、目標物との距離によって、レチクル選択部を回転させて対応する距離別投光レチクルを選択することもできる。
【００２４】
さらに、本発明は、レチクル回転軸が、レチクル回転連結軸の周りに、弾着点との距離に対応する複数の凹凸が形成された凹凸部を有する照明部側回転軸と、一端に凹凸部のうち所望の凹凸と連接する凸部を有し、他端に投光レチクルが連結されたレチクル選択部側回転軸とを備え、レチクル選択部を引張って照明部側回転軸とレチクル選択部側回転軸とを分離した後、レチクル選択部を回転させて、照明部側回転軸の凹凸部のうち所望の弾着点との距離に対応する凹凸にレチクル選択部側回転軸の凸部が連接するように選択することもできる。
【００２５】
さらに、本発明に係るドットサイト装置は、上板と下板とで構成され、上板は、保護窓と、反射鏡と、照明部とを備え、下板は、下部に形成された固定グリルと、側面に設けられる弾道調整摘みと、上板と下板とを連結して零点を設定する上下クリック調節ボルトと、下板に形成された弾道調整本体収容部に収容されて、側面から貫通する上下板連結回転軸に上下クリック調節ボルトの下板側端部が上側から固定されることにより、上板と連結される弾道調整本体と、弾道調整本体の一端の弾道調整軸接触部上に位置する弾道調整部を備え、下板を貫通して弾道調整摘みに連結される弾道調整軸と、弾道調整本体の他端と下板とを側面から貫通して連結する弾道調整本体と下板との連結軸と、連結軸を基準として弾道調整軸接触部側の下板上面に形成されたバネ部とを備え、バネ部は、バネを収容して上板と下板とが互いに押し出すようにし、弾道調整本体は、上下板連結回転軸を中心として回転可能であり、弾道調整軸は、弾道調整本体の弾道調整軸接触部の上面に接触し、弾着点までの距離に対応して、弾道調整軸の中心からの法線距離が相違した複数の接触面を有する弾道調整部を備え、弾道調整部は、弾道調整摘みを回転させることにより、所望の弾着点までの距離に対応する接触面が弾道調整軸接触部と接触されるようにすることもできる。
【００２６】
さらにまた、本発明において反射鏡は、ダブレット（ｄｏｕｂｌｅｔ）からなり、反射鏡の第１の面および第３の面は球面を形成し、第２の面はＬＥＤ反射面を形成し、第１の面および第３の面の曲率半径は、
【００２７】
【数１】
0005406834.tif 000002
（Ｄ１は第１の面の屈折力、Ｄ２は第３の面の屈折力、ｄは第１の面と第３の面との中心間の距離、Ｒ１は第１の面の曲率半径、Ｒ３は第３の面の曲率半径、ｎは屈折率）の関係を満足させることもできる。
【００２８】
また、本発明の反射鏡において第２の面は、コーニック係数を含む非球面であってもよい。
【発明の効果】
【００２９】
本発明によれば、両眼視が可能な重機関銃用の大口径のドットサイト装置を提供できるという長所がある。
【００３０】
また、本発明によれば、距離補正を勘案して、迅速に目標物を照準できるので、目標物の距離別差異を考慮して射撃可能であるという長所がある。
【００３１】
本発明の明細書において具体的に記載されていない効果であるといえども、本発明の技術的特徴によって期待される暫定的な効果は、本発明の明細書に記載されたものと同様に扱われるということを言い添える。
【図面の簡単な説明】
【００３２】
【図１】従来の単眼視用ドットサイト照準装置を概略的に示した断面図である。
【図２】従来のドットサイト装置において視差が発生することを概略的に示した図である。
【図３】従来の単眼視用ドットサイト照準装置を両眼で注視したときに発生する問題を概略的に示した図である。
【図４】本発明に係る両眼視用大口径ドットサイト装置を両眼で注視した場合を概略的に示した図である。
【図５】本発明の一実施形態に係るレチクル選択回転部が装着された大口径ドットサイト装置を概略的に示した図である。
【図６】本発明の一実施形態に係るレチクル選択回転部が装着された大口径ドットサイト装置を概略的に示した図である。
【図７】本発明の一実施形態に係るドットサイト装置の作動原理を示した概略的な断面図である。
【図８】本発明の一実施形態に係る照明部の概略的な断面図である。
【図９】本発明の一実施形態に係る投光レチクルを概略的に示した図である。
【図１０】本発明の他の実施形態に係る投光レチクルを概略的に示した図である。
【図１１】本発明のさらに他の実施形態に係るレチクル回転軸を概略的に示した図である。
【図１２】本発明のさらに他の実施形態に係る光軸調節装置を備える大口径ドットサイト装置を外部で概略的に示した図である。
【図１３】本発明のさらに他の実施形態に係る光軸調節装置を備える大口径ドットサイト装置を外部で概略的に示した図である。
【図１４】本発明のさらに他の実施形態に係る光軸調節装置の概略的な組立図である。
【図１５】本発明のさらに他の実施形態に係る光軸調節装置の弾道調整本体と弾道調整軸との作動原理を概略的に示した図である。
【図１６】本発明のさらに他の実施形態に係る光軸調節装置の弾道調整本体と弾道調整軸との作動原理を概略的に示した図である。
【図１７】本発明のさらに他の実施形態における反射鏡の概略的な構造を示した図である。
【図１８】本発明のさらに他の実施形態における反射鏡の概略的な構造を示した図である。
【００３３】
添付した図面によって、本発明の実施形態がさらに明確に説明されるであろう。ただし、本発明の実施形態は、これに限定されるものではなく、本発明の権利範囲もこれによって制限されない。
【発明を実施するための形態】
【００３４】
以下、添付した図面を参照して、本発明の好ましい実施形態について詳しく説明する。
【００３５】
図３は、従来のドットサイト照準装置の反射鏡１５を両眼１３で注視したときの視覚的な問題を示したものである。同図に示すように、両眼間の距離Ｙより反射鏡の幅Ｘが同じであるか、より小さい場合には、前述したように、複視（ｄｉｐｌｏｐｉａ）などの発生により安定疲労を誘発し、両眼を介して習得する外部情報を歪めるようになる。
【００３６】
本発明の場合には、図４に示すように、両眼間の距離Ｙより反射鏡の幅Ｘがより大きい。したがって、右側の目の視野「Ａ」と左側の目の視野「Ｂ」とがほぼ一致するようになり、外部情報がこの右側の目の視野「Ａ」と左側の目の視野「Ｂ」との共通領域で獲得される。すなわち、両眼を同時に使用して外部物体の情報を獲得するため、単眼視に対する両眼視の長所である立体視が可能であり、距離感を維持できるようになる。
【００３７】
以下、本発明に係る大口径ドットサイト照準装置の様々な実施形態を図面とともに説明する。ただし、本発明の権利範囲は、説明する実施形態によって制限されず、本発明の属する技術分野において自明な設計変更など、単なる置き換えによっても制限され得ない。
【００３８】
（第１の実施形態）
図５および図６は、本発明の第１の実施形態に係るレチクル選択部を装着したドットサイト照準装置を示した図である。
【００３９】
ドットサイト照準装置２は、固定グリル２３を重機関銃用マウント（図示せず）に固定し、固定ボルト２５で固定され、上下クリック調節ボルト１７と左右クリック調節ボルト４５（図１３参照）とを用いて零点が調整される。使用者は、保護窓２７と反射鏡１６とを介して外部の目的物を確認する。照明部１９内のＬＥＤ光源から照射された光は、反射鏡にドット像を形成して反射され、反射された光は、使用者の目に入射されて、使用者がドット像を認識できるようにする。ＬＥＤ光源は、調節スイッチ３１によってＬＥＤ明るさの調節が可能である。また、ＬＥＤ光源は、バッテリケース２９に内臓されたバッテリによって作動することもでき、外部の電源から電源の供給を受けて作動するか、外部の電源を用いてバッテリを充電することもできる。
【００４０】
図７は、本発明に係るドットサイト照準装置の照明部１９と反射鏡１６との作用原理を概略的に示した図である。
【００４１】
照明部１９内には、ＬＥＤなどを用いた照明装置３３が設けられ、光源としての役割を果たす。ＬＥＤなどを用いた照明装置３３から照射された光は、照明装置の前方に設置された回転式投光レチクル３５の投光レチクルを通過して反射鏡１６に照射される。反射鏡に照射された光は、反射されて使用者の目に入るようになり、使用者は、投光レチクル状のドットを認識するようになる。
【００４２】
図８は、レチクル選択部２１と照明部１９との作動原理をさらに具体的に示した図である。回転式投光レチクル３５は、照明部１９に連接して設けられたレチクル選択部２１から延長され、照明部１９を貫通するレチクル回転軸３７上に形成されており、レチクル選択部２１を回してレチクル回転軸３７が回転すると、共に回転する。したがって、使用者は、レチクル選択部２１を回転させて、回転式投光レチクル３５に形成された様々な形のレチクルのうち、所望のレチクルを選択することができる。
【実施例】
【００４３】
実施例１
図９は、回転式投光レチクル３５の一実施例を示した図である。回転式投光レチクル３５上には、中心軸３７’を基準として同一な半径を有するレチクル回転線４０に沿って様々なレチクル３９Ａ〜３９Ｆが形成されている。例えば、動く車両とか、ヘリコプタ、戦闘機などを照準射撃するためには、対人射撃の場合とは異なり、物体の移動速度などを考慮して照準しなければならない。したがって、これを考慮してドット像を形成しなければならない。対物用ドット像は、一般的に近距離、遠距離、および対空用に大別され、また、人馬用、戦車用、ヘリコプタ用、戦闘機用などに互いに異なるドット像が用いられる。本発明に係る回転式投光レチクル３５には、これを反映して人馬用遠距離レチクル３９Ａ、人馬用近距離レチクル３９Ｂ、停止された車両および戦車用レチクル３９Ｃ、移動車両および戦車用レチクル３９Ｄ、対空用ヘリコプタレチクル３９Ｅ、対空用戦闘機レチクル３９Ｆなどがレチクル回転線４０に沿って放射状に形成されている。
【００４４】
回転式投光レチクル３５の中心軸３７’の部分は、レチクル回転軸３７が通過する部分であって、回転式投光レチクル３５は、レチクル回転軸３７上に固定されており、レチクル回転軸３７が回転することにより共に回転する。したがって、使用者は、レチクル選択部２１を回転させて、目標物に適したドット像を形成するレチクルを迅速に選択することができるので、迅速かつ正確な照準射撃が可能である。
【００４５】
実施例２
図１０は、本発明に係る回転式投光レチクル３５の他の実施例を示した図である。撃発された弾丸は、目標物に到達するまで重力の影響を受け続けるようになる。したがって、目標物までの距離が遠いほど、本来の照準された地点とは異なる地点に到達することになるため、命中率を高めようとすれば、目標物までの距離を考慮して、照準時にこれを補正しなければならない。
【００４６】
重力を考慮すると、目標物までの距離が遠いほど、銃身が上を向かなければならない。したがって、図１０に示された本発明の回転式投光レチクル３５には、これを反映して照準基準線４１を基準として目標物までの距離が遠いほど、レチクル３９’Ａ〜３９’Ｆが中心軸３７’に近く形成されている。
【００４７】
例えば、照準基準線４１が１００ｍの距離にある目標物に対する基準線であるとすれば、射撃者から１００ｍの距離にある目標物に対するレチクル３９’Ａは照準基準線４１上に形成され、射撃者から２００ｍの距離にある目標物に対するレチクル３９’Ｂは照準基準線４１から予め調整された距離の分だけ中心軸３７’の方に形成される。また、４００ｍの距離にある目標物に対するレチクル３９’Ｃ、８００ｍの距離にある目標物に対するレチクル３９’Ｄ、１２００ｍの距離にある目標物に対するレチクル３９’Ｅ、１６００ｍ前の目標物に対するレチクル３９’Ｆなども予め調整された距離の分だけ中心軸３７’の方に形成されている。
【００４８】
回転式投光レチクル３５の中心軸３７’の部分は、レチクル回転軸３７が通過する部分であって、回転式投光レチクル３５は、レチクル回転軸３７上に固定されており、レチクル回転軸３７が回転することにより共に回転する。したがって、使用者は、レチクル選択部２１を回転させて、目標物までの距離を考慮して適したドット像を形成するレチクルを迅速に選択することができるので、迅速かつ正確な照準射撃が可能である。
【００４９】
上記実施例１および実施例２では、回転式投光レチクル３５の回転中心軸３７’が回転式投光レチクル３５の中心にあるものと説明したが、上述した２つの実施例において、回転中心軸３７’を回転式投光レチクル３５の中心を外れた位置に形成してもよい。すなわち、目標物までの距離を考慮して、予め回転中心軸３７’を遠くにある目標物に使用するレチクルに近い位置に置いてもよい。
【００５０】
（第２の実施形態）
反射鏡の幅を使用者の両眼間の距離より大きくして、立体視、すなわち、距離感を維持させるためには、ドットの虚像も両眼注視距離に結像されて初めて目標物と目標物に照準されたドットとを安定疲労なしで正確に凝視できるようになる。
【００５１】
両眼注視時、両眼注視点にドットを作るためには、すなわち、反射鏡によるレチクルの像が両眼注視点に位置されるようにするためには、照明部、具体的には、点光源の役割を果たすレチクルを前後方に移動させて位置変化を与えなければならない。
【００５２】
例えば、１００ｍレチクルと、２００ｍレチクルと、４００ｍレチクルとの３つの場合において、照明部の点光源を反射鏡方向から反射鏡の焦点方向への微細に位置移動させる手段が必要である。人間の目が立体感を感じることのできる立体視の距離は、ヘルムホルツ（Ｈｅｒｍａｎｎ  ｖｏｎ  Ｈｅｌｍｈｏｌｔｚ）によると２４０ｍ程度であるため、８００ｍ、１２００ｍ、１６００ｍレチクルは、４００ｍレチクルと同様に、反射鏡から反射後のドット像（ｉｍａｇｅ）が目の前に無限に配置されるように、反射鏡の焦点の位置を合わせてもよい。
【００５３】
反射鏡の焦点がｆｍｍであるとき、ｚｍレチクルの反射鏡の焦点から反射鏡の方への移動量ｓを計算する式は、下記の式（２）のとおりであり、計算例は表１のとおりである。
【００５４】
【数２】
0005406834.tif 000003
【００５５】
【表１】
0005406834.tif 000004
【００５６】
上記の表１は、実際の焦点距離２２９ｍｍである反射鏡で、レチクル種類別の反射鏡の焦点から反射鏡の方への移動量を計算したものである。
【００５７】
これを反映してレチクルを移動させるために、図１１に示すようなレチクル回転軸３７を考慮することができる。
【００５８】
本実施形態に係るレチクル回転軸３７は、レチクル回転軸の連結軸５８と、連結軸５８の周りに、照明部１９内の前面から延長された照明部側回転軸６５とレチクル選択部側回転軸６７とを備える。レチクル選択部側回転軸６７の後方には回転式投光レチクルが取り付けられている。照明部側回転軸６５の一端には、図示しているように、円周に沿って凹凸６１ａ〜６１ｃが形成されている。この凹凸の大きさは、上記の表に記載されたレチクル別移動距離に対応する。照明部側回転軸６５と連接するようになるレチクル選択部側回転軸６７の一端には、凸部６３が形成されている。
【００５９】
使用者がレチクル選択部２１を引張ると、照明部側回転軸６５とレチクル 選択部側回転軸６７が離隔し、レチクル選択部２１を回転させることにより、レチクル選択部側回転軸６７が回転するにしたがって凸部６３が共に回転する。凸部６３が所望のレチクル移動距離に該当する凹凸部と連接するようになる対応位置にきたとき、レチクル選択部２１を解放すると、凸部６３と凹凸部６１とが連接するようになる。
【００６０】
したがって、使用者は、迅速に距離に対応するドット像の立体視補正をすることができるので、迅速かつ正確に照準射撃することができる。
【００６１】
（第３の実施形態）
図１２および図１３は、本発明のさらに他の実施形態によって弾道を調整できるドットサイト照準装置を示した図である。
【００６２】
本実施形態では、レチクル選択部の代わりに、弾道調整摘み４３を回転させて弾道を調整する。本実施形態によって弾道を調整できるドットサイト照準装置について、図面を参照して説明する。
【００６３】
図１２および図１３の上板４の下部には、図１４に示された下板６が配置される。
【００６４】
図１４に示すように、弾道調整本体４７の上部には、上下クリック調節ボルト１７が収容される溝があり、側面中央には、上下板連結回転軸４９が挿入される。弾道調整本体４７の上面から収容された上下クリック調節ボルト１７は、上下板連結回転軸４９の中央部の溝に固定される。上下板連結回転軸４９によって上下クリック調節ボルト１７と連結された弾道調整本体４７は、下板６に形成された弾道調整本体収容部５５に収容され、側面を貫通する弾道調整本体と下板を連結する連結軸５９とによって下板６と連結される。
【００６５】
したがって、上下クリック調節ボルト１７は、上下板連結回転軸４９を中心として回転可能であり、弾道調整本体４７は、連結軸５９を中心として回転可能である。
【００６６】
また、弾道調整本体４７は、上板に固定された上下クリック調節ボルト１７を介して上板４と連結され、連結軸５９によって下板６と連結される。
【００６７】
弾道調整軸５１は、下板６を貫通し、弾道調整本体４７の弾道調整軸接触部４８の上を通って弾道調整摘み４３に連結される。弾道調整軸５１の弾道調整部５３は、弾道調整本体４７の弾道調整軸接触部４８と面接触する。
【００６８】
図１４に示すように、下板６の上面には、連結軸５９に沿って弾道調整本体収容部５５の付近にバネ部５７が形成されており、バネ部５７内には、バネが収容されて上板４と下板６とに互いに押し出す力が作用されるようにする。
【００６９】
図１５および図１６を参照し、本実施形態によって弾道を調整するための構成を詳しく説明する。
【００７０】
図１５に示すように、弾道調整軸５１の弾道調整部５３は、弾道調整本体４７の弾道調整軸接触部４８の上に面接触し、横切って通る。図１５のＡ−Ｂ線に沿った断面図が図１６に示されている。弾道調整部５３は、弾道調整軸５１の回転中心６０からの法線距離が相違した複数の接触面５３ａ〜５３ｅからなっている。
【００７１】
バネ部５７のバネが上板と下板とを互いに押し出しているので、上下クリック調節ボルト１７によって上板４と連結された弾道調整本体４７は、下板から押し出される上板４の方に引張られる力を受ける。すなわち、連結軸５９を中心として上板４の方に回転する力を受け続ける。したがって、このとき、弾道調整部５３で弾道調整軸接触部４８と面接触していた接触面が変更されると、上板４と下板６との間の距離が変更される。
【００７２】
例えば、弾道調整本体４７の弾道調整軸接触部４８が回転中心から法線距離が長い接触面５３ｄと接触していたが、法線距離が短い接触面５３ａと接触すれば、上板４と下板６との間の距離が近くなり、その反対の場合は、上板４と下板６との間の距離が遠くなる。
【００７３】
下板６の場合は、重機関銃用マウントに固定されているので、上述した上板４と下板６との間の距離変化は、固定された下板６を基準として上板４の微細な傾き変化で実現される。弾道調整部５３の各接触面５３ａ〜５３ｅは、距離別補正角度を予め計算して、補正角に対応する法線距離に形成されている。したがって、弾道調整摘み４３を回転させて、当該接触面を選択すると、上板４の傾きが目標物との距離に対応して変わるようになり、傾きが変わった上板４の反射鏡および保護窓を介して目標物を照準すると、第１の実施形態の実施例２と同一な距離別補正効果を得ることができる。
【００７４】
（第４の実施形態）
本発明は、大口径の反射鏡を使用するドットサイト照準装置であるため、前述したような、収差が異なる視差の問題を解決する必要性がある。
【００７５】
図１７は、本発明のさらに他の実施形態を示し、本実施形態では、ＬＥＤと反射面との間の距離を２００ｍｍに、中心厚さを４．０ｍｍに設定した。
【００７６】
ＬＥＤドットは、Ｒ２面から反射されて出るが、入射するときにＲ１面を通り、Ｒ２面で反射してから、改めてＲ１面を通って観測者の目に入射される。すなわち、Ｒ１面を２回通り、Ｒ２面を１回通るため、設計における自由度がさらに与えられる。これにより、視差を最も最小化できるようになる。
【００７７】
このとき、外部目標点が観測者の目に結像されるとき、倍率の発生を減らすために、アフォーカル（ａｆｏｃａｌ）システムになるように構成した。これによる構成は、下記の式（１）を利用して第１の面および第３の面の曲率半径に適用する。
【００７８】
ダブレット（ｄｏｕｂｌｅｔ）の第１の面と第３の面との中心間の距離（中心厚さ）をｄ、第１の面の曲率半径をＲ１、第３の面の曲率半径をＲ３とし、材質の屈折率をｎとするとき、次のような式（１）が成立されるようにした。
【００７９】
【数３】
0005406834.tif 000005
【００８０】
このとき、Ｄ１は第１の面の屈折力、Ｄ２は第３の面の屈折力を意味する。本実施形態によって、視差は、百分率で８０%以上の改善効果があった。
【００８１】
また、図１８のように、第２の面がコーニック（ｃｏｎｉｃ）係数を含む非球面であったとき、視差は最も最小化され、このとき、視差は、上記図１７の実施形態より９０%以上が改善されるという効果があった。
【００８２】
下記の３つのグラフは、各々基準の単一反射面である場合と、ダブレット（ｄｏｕｂｌｅｔ）反射面である場合（２つのレンズ間の反射面が球面）と、ダブレット（ｄｏｕｂｌｅｔ）反射面でありながら、２つのレンズ間の反射面としてコーニック非球面を採択した場合との子午光線（Ｔａｎｇｅｎｔｉａｌ  ｒａｙ）収差度を表わしている。それぞれレンズ傾き角が-２．０度である。
【００８３】
[グラフ１]
0005406834.tif 000006
【００８４】
[グラフ２]
0005406834.tif 000007
【００８５】
[グラフ３]
0005406834.tif 000008
【００８６】
上記の各々のグラフのうち、１つ目のグラフは球面収差を表わすが、これがｘ軸と一致されると、視差のない状態となる。既存の単一反射面である場合の最大収差値は０．０２ｍｍであり、ダブレット（Ｄｏｕｂｌｅｔ）の中間面を球面反射面として採択した場合の最大収差値は０．００４ｍｍであり、ダブレット（Ｄｏｕｂｌｅｔ）の中間面をコーニック非球面反射面として採択した場合の最大収差値は０．０００４ｍｍである。したがって、全体領域の中心での５０%空間を有効空間とすれば、既存の単一反射面である場合と、ダブレット（Ｄｏｕｂｌｅｔ）の中間面を球面反射面として採択した場合との比較では、少なくとも８０%以上の改善効果（球面収差量（ｙ軸）のｘ軸（ＬＥＤ光線が反射する有効空間）に対する積分値の比較で）があり、ダブレット（Ｄｏｕｂｌｅｔ）の中間面を球面反射面として採択した場合と、ダブレット（Ｄｏｕｂｌｅｔ）の中間面をコーニック非球面反射面として採択した場合との比較では、少なくとも９０%以上の改善効果があるものと計算される。
【００８７】
本発明の請求の範囲に記載されている事項から決められる権利範囲は、上述した実施形態およびその実施例によって縮小されたり、制限されたりしない。
【産業上の利用可能性】
【００８８】
本発明によれば、両眼視が可能な重機関銃用の大口径のドットサイト装置を提供できるという長所がある。
【００８９】
また、本発明によれば、距離補正を勘案して、迅速に目標物を照準できるので、目標物の距離別差異を考慮して射撃可能であるという長所がある。
【符号の説明】
【００９０】
２…ドットサイト装置
１６…反射鏡
１９…照明部
２３…固定グリル
３３…照明装置
【図１】
0005406834.tif 000009
【図２】
0005406834.tif 000010
【図３】
0005406834.tif 000011
【図４】
0005406834.tif 000012
【図５】
0005406834.tif 000013
【図６】
0005406834.tif 000014
【図７】
0005406834.tif 000015
【図８】
0005406834.tif 000016
【図９】
0005406834.tif 000017
【図１０】
0005406834.tif 000018
【図１１】
0005406834.tif 000019
【図１２】
0005406834.tif 000020
【図１３】
0005406834.tif 000021
【図１４】
0005406834.tif 000022
【図１５】
0005406834.tif 000023
【図１６】
0005406834.tif 000024
【図１７】
0005406834.tif 000025
【図１８】
0005406834.tif 000026